(57)【要約】【課題】本発明は、浴室等のユニットルームを家屋内の狭い空間内に設置するとき、ユニットルームを構成する壁パネルの立設取付作業が容易で、かつ、該壁パネルの破損や汚れのための補修を簡単に安価に行なうことができるユニットルームの壁パネルの取付構造を提供することを課題とする。【解決手段】本発明のユニットルームの壁パネルの取付構造は、ユニットルーム１を構成している壁パネル２において、該壁パネル２を壁用枠体３と該壁用枠体３の表面に装着された壁表層パネル４とで構成し、予め立設された壁用枠体３の室内側表面に壁表層パネル４の裏面を熱可塑性接着剤を介して貼着したことを特徴とする。【選択図】　図１
2004044140.tif 000002
【特許請求の範囲】
【請求項１】
ユニットルームを構成している壁パネルにおいて、該壁パネルを壁用枠体と該壁用枠体の表面に装着された壁表層パネルとで構成し、予め立設された壁用枠体の室内側表面に壁表層パネルの裏面を熱可塑性接着剤を介して貼着したことを特徴とするユニットルームの壁パネルの取付構造。
【請求項２】
上記壁用枠体が矩形状外枠と該矩形状外枠内に上下方向に間隔をおいて設けられた複数の横桟とで形成されたことを特徴とする請求項１記載のユニットルームの壁パネルの取付構造。
【請求項３】
上記矩形状外枠に設けた横桟に壁表層パネルの裏面に設けた係合片を着脱自在に係合させた請求項２記載のユニットルームの壁パネルの取付構造。
【請求項４】
上記係合片を横方向及び縦方向のそれぞれに複数個設けるとともに、それぞれの係合片を該複数個の横桟に係合させた請求項３記載のユニットルームの壁パネルの取付構造。
【請求項５】
上記ユニットルームが浴室である請求項１ないし請求項４記載のユニットルームの壁パネルの取付構造。
【発明の詳細な説明】
【０００１】
【発明の属する技術分野】
本発明は、浴室等のユニットルームを構成する壁パネルの取付構造に関するものである。
【０００２】
【従来の技術】
従来、浴室等のユニットルームを家屋内の狭い空間内に設置するとき、特開平９−２７３３２０号公報に記載されているように、ユニットルームを構成する壁パネルの立設に種々の工夫がなされていたが、該壁パネルと家屋躯体との間のスペースが殆どないので、壁パネル取付作業が困難であった。また、この従来例においては予め完成された壁パネルを立設固定するものであったから、壁パネルが所謂めくらパネルとなっていた。このため、取付作業中において、ユニットルームの室内側から壁パネルの裏面側が見えず、作業者の経験と感で壁パネルを取り付ける必要があった。また、破損、老朽化のために該壁パネルを取り替えるときの作業も手間がかかり且つその費用も高くつくという問題があった。
【０００３】
【発明が解決しようとする課題】
本発明は、浴室等のユニットルームを家屋内の狭い空間内に設置するとき、ユニットルームを構成する壁パネルの立設取付作業が容易で、かつ、該壁パネルの破損や汚れのための補修を簡単に安価に行なうことができるユニットルームの壁パネルの取付構造を提供することを課題とする。
【０００４】
【課題を解決するための手段】
本発明は、上記課題を解決するために考え出されたものであって、つぎのような技術的手段を講じている。すなわち、請求項１に記載のユニットルームの壁パネルの取付構造は、ユニットルームを構成している壁パネルにおいて、該壁パネルを壁用枠体と該壁用枠体の表面に装着された壁表層パネルとで構成し、予め立設された壁用枠体の室内側表面に壁表層パネルの裏面を熱可塑性接着剤を介して貼着したことを特徴とするものである。このようにすることにより、壁パネルを立設するとき、先に壁用枠体を立設できるので該壁用枠体の表側裏側をよく確認することができ、従ってその作業が容易であり、壁表層パネルはユニットルームの内側から該壁用枠体に接着剤を介して貼着すればよく該壁パネルの取付作業が簡単容易となり、しかも、壁表層パネルが破損または汚れたときは、壁パネルの全体を取り替えるのではなく熱可塑性接着剤を加熱溶解させた後に壁表層パネルを取り外して取り替えることができるから、壁表層パネルを容易に壁用枠体から取り外しでき、その取替費用も安くなるのである。
【０００５】
請求項２記載のユニットルームの壁パネルの取付構造は、請求項１記載のユニットルームの壁パネルの取付構造において、壁用枠体が矩形状外枠と該矩形状外枠内に上下方向に間隔をおいて設けられた複数の横桟とで形成されたことを特徴とするものである。このようにすることにより、壁用枠体が壁表層パネルの裏面の周囲及び内域部の要所に接触し壁用枠体が壁表層パネルをバランスよく固定するのである。
【０００６】
請求項３記載のユニットルームの壁パネルの取付構造は、請求項２記載のユニットルームの壁パネルの取付構造において、矩形状外枠に設けた横桟に壁表層パネルの裏面に設けた係合片を着脱自在に係合させたことを特徴とするものである。このようにすることにより、壁表層パネルは接着剤を介して壁用枠体に固定されるとともに、係合片を介しても固定されるので、該接着剤が硬化するまでは壁表層パネルが該係合片を介して横桟に支承されることになり該壁表層パネルが矩形状外枠の所定位置に正確に固定されるのである。
【０００７】
請求項４記載のユニットルームの壁パネルの取付構造は、請求項３記載のユニットルームの壁パネルの取付構造において、係合片を横方向及び縦方向のそれぞれに複数個設けるとともに、それぞれの係合片を該複数個の横桟に係合させたことを特徴とするものである。このようにすることにより、複数の係合片による壁用枠体と壁表層パネルとの固定状態が一層安定したものとなる。
【０００８】
請求項５記載のユニットルームの壁パネルの取付構造は、請求項１ないし請求項４記載のユニットルームの壁パネルの取付構造において、ユニットルームが浴室であることを特徴とするものである。ユニットルームが浴室の場合、特に狭い家屋躯体空間に浴室ユニットを設置する必要があるので、本発明の上記特徴が一層効果的に生かされるのである。
【０００９】
【発明の実施の形態】
以下、本発明にかかるユニットルームの壁パネルの取付構造の一実施例を浴室を事例として示した図面を参照して詳細に説明する。図１は壁パネルの分解斜視図、図２は２枚の壁パネルを浴室の床パンの周縁部の水平リブに立設して直列に連接したときの裏面の状態を示す背面図、図３は２枚の壁パネルを浴室床パンの水平リブのコーナー部に立設してＬ字形に連接したときの平面図である。図において、１は浴室を事例としたユニットルーム、２は壁パネルであり、通常このユニットルーム１は床パン５の周縁部に形成した水平リブ５１に複数の壁パネル２が立設されて構成される。壁パネル２は壁用枠体３と壁表層パネル４とで構成される。壁用枠体３は矩形状外枠３１と該矩形状枠体３１内に上下方向に一定間隔をおいて設けられた３本の横桟３２とで形成されている。壁用枠体３は硬質樹脂、耐水性木材、防錆処理を施した金属枠等で構成される。壁表層パネル４は硬質樹脂やセメント系ボード等で成形されその裏面には水平方向に２個の係合片４１が設けられ且つ上下方向に該２個の係合片４１が３組設けられている。従って６個の係合片４１が設けられている。壁表層パネル４は壁用枠体３の表面に接着剤６を介して貼着される。このとき、壁用枠体３の前面全体を壁表層パネル４が覆うので、壁パネル２の表面側には壁用枠体３が露出しない。壁用枠体３に壁表層パネル４が貼着されたときは３本の横桟３２のそれぞれに壁表層パネル４に設けられた係合片４１が２個づつ係合される。係合片４１は横桟３２に載置係合されるので、接着剤６を使用しない場合であっても壁表層パネル４は壁用枠体３に支承される。係合片４１は硬質樹脂で成形され壁表層パネル４の裏面に固着されるが、係合片４１を金属で形成してもよい。接着剤６は熱可塑性であり、壁用枠体３に壁表層パネル４を接着固定した後であっても加熱することにより、壁表層パネル４を壁用枠体３から容易に剥離できる。
【００１０】
次に壁パネル２を床パン５の周縁部の水平リブ５１に立設する順序について説明する。先ず壁用枠体３の矩形状外枠３１を床パン５１の水平リブ５１に載置立設し、矩形状外枠３１の下枠３１１と該水平リブ５１とをボルト７とナット８とで固定する。次に該立設された矩形状外枠３１に隣接させた状態で別の矩形状外枠３１を水平リブ５１に立設しその下枠３１１と該水平リブ５１とをボルト７とナット８とで固定する。次に該隣接して立設された矩形状外枠３１、３１の隣り合う縦枠３１２、３１２同士をボルト７とナット８とで互いに固定する。この作業において、矩形状外枠３１は所謂めくらパネルではないので、該ボルトナットによる固定作業を簡単に行うことができる。壁パネル２を直交状態で連接するときは図３に示す如く横断面Ｌ字形のジョイナー９を使用する。このときは矩形状外枠３１、３１のそれぞれの縦枠３１２、３１２をビス１０を介して該ジョイナー９に固定する。該矩形状外枠３１の上枠３１３は図外の固定手段で家屋躯体に固定すればよい。床パン５の水平リブ５１の周囲にドアー等の開口部を残して立設された複数の壁用枠体３のユニットルーム室内側表面に熱可塑性接着剤を塗布した後、壁表層パネル４を該壁用枠体３の室内側表面に貼着するとともに、それぞれの係合片４１を相対向する横桟３２に載置係合するのである。このとき接着剤が硬化するまでは該壁表層パネル４の重量は係合片４１を介して横桟３２に支承される。壁表層パネル４同士の突き合わせ部（図示せず）は図外の目地用ジョイナーを装着するか若しくは図外のコーキング剤を充填するのである。
【００１１】
該壁表層パネル４が汚れたり破損して取り代える必要があるときは、該壁表層パネル４の表面から壁用枠体３の桟部に沿ってドライヤー等で熱風を吹き付けるのである。このとき加熱された熱可塑性接着剤は軟化するので該壁表層パネル４を壁用枠体３から容易に剥離できる。次に、該取外された壁表層パネル４に代えて新しい壁表層パネル４を前記の手順で該壁用枠体３の貼着するのである。
【００１２】
【発明の効果】
以上述べたように、請求項１記載のユニットルームの壁パネルの取付構造は、ユニットルーム１を構成している壁パネル２において、該壁パネル２を壁用枠体３と該壁用枠体３の表面に装着された壁表層パネル４とで構成し、予め立設された壁用枠体３の室内側表面に壁表層パネル４の裏面を熱可塑性接着剤６を介して貼着したから、壁パネル２を立設するとき、先に壁用枠体３を立設できるので該壁用枠体３の表側裏側をよく確認することができ、従ってその作業が容易であり、壁表層パネル４はユニットルーム１の内側から該壁用枠体３に接着剤を介して貼着すればよく該壁パネル２の取付作業が簡単容易となり、しかも、壁表層パネル４が破損または汚れたときは、壁パネル２の全体を取り替えるのではなく熱可塑性接着剤を加熱溶解させた後に壁表層パネル４を取り外して取り替えるものであるから、壁表層パネル４を容易に壁用枠体３から取り外しでき、その取替費用も安くなるのである。
【００１３】
請求項２記載のユニットルームの壁パネルの取付構造は、請求項１記載のユニットルームの壁パネルの取付構造において、壁用枠体３が矩形状外枠３１と該矩形状外枠３１内に上下方向に間隔をおいて設けられた複数の横桟３２とで形成したから、壁用枠体３が壁表層パネル４の裏面の周囲及び内域部の要所に接触し壁用枠体３に壁表層パネル４をバランスよく固定することができる。
【００１４】
請求項３記載のユニットルームの壁パネルの取付構造は、請求項２記載のユニットルームの壁パネルの取付構造において、矩形状外枠３１に設けた横桟３２に壁表層パネル４の裏面に設けた係合片４１を着脱自在に係合させたから、壁表層パネル４は接着剤を介して壁用枠体３に固定されるとともに、係合片４１を介しても固定されるので、該接着剤が硬化するまでは壁表層パネル４が該係合片４１を介して横桟３２に支承されることになり該壁表層パネル４が矩形状外枠３１の所定位置に正確に固定されるのである。
【００１５】
請求項４記載のユニットルームの壁パネルの取付構造は、請求項３記載のユニットルームの壁パネルの取付構造において、係合片４１を横方向及び縦方向のそれぞれに複数個設けるとともに、それぞれの係合片４１を該複数個の横桟３２に係合させたから、複数の係合片４１による壁用枠体３と壁表層パネル４との固定状態が一層安定したものとなる。
【００１６】
請求項５記載のユニットルームの壁パネルの取付構造は、請求項１ないし請求項４記載のユニットルームの壁パネルの取付構造において、ユニットルームが浴室であるから、ユニットルームが浴室の場合、特に狭い家屋躯体空間に浴室ユニットを設置する必要があるので、本発明の上記特徴が一層効果的に生かされるのである。
【図面の簡単な説明】
【図１】本発明にかかるユニットルームの壁パネルの取付構造の一実施例における壁パネルの分解斜視図。
【図２】上記実施例における２枚の壁パネルを浴室床パンの周縁部の水平リブに立設して直列に連接したときの裏面の状態を示す背面図。
【図３】上記実施例における２枚の壁パネルを浴室床パンの水平リブのコーナー部に立設してＬ字形に連接したときの平面図。
【符号の説明】
１　　　　ユニットルーム
２　　　　壁パネル
３　　　　壁用枠体
３１　　　壁用枠体の矩形状外枠
３１１　　矩形状外枠の下枠
３１２　　矩形状外枠の縦枠
３１３　　矩形状外枠の上枠
３２　　　壁用枠体の横桟
４　　　　壁表層パネル
４１　　　壁表層パネルに設けた係合片
５　　　　床パン
５１　　　床パンの水平リブ
６　　　　接着剤
７　　　　ボルト
８　　　　ナット
９　　　　ジョインナー
１０　　　ビス
【図１】
2004044140.tif 000003
【図２】
2004044140.tif 000004
【図３】
2004044140.tif 000005